(57)【特許請求の範囲】
【請求項１】
玄関先を撮像するカメラ付きドアホン子器と、カメラ付きドアホン子器の撮像した映像を映し出しドアホン子器との間で通話を行うためのモニタテレビ付きインターホン親機と、を組み合わせて構成されたテレビインターホンシステムにおいて、カメラ付きドアホン子器の撮像した映像を録画する録画手段を設けると共に、上記カメラ付きドアホン子器には人感センサを設け、この人感センサが、ドアホン子器の前方を含む近傍箇所に、所定時間、人を検知したときには、前記録画手段にてカメラ付きドアホン子器の撮像した映像を録画するテレビインターホンシステムであり、前記録画手段は、前記人感センサの検知によりカメラ付きドアホン子器より出力される検知信号の発生に伴い録画を行うと共に、該検知信号は、カメラ付きドアホン子器に設けた呼出釦を操作したときに出力される呼出信号とは異なる信号であって、該検知信号である場合にのみ録画手段による録画を行うようになしたことを特徴とするテレビインターホンシステム。
【請求項２】
前記検知信号が呼出信号である場合でも、カメラ付きドアホン子器の撮像した映像を録画手段により録画するようになすと共に、留守設定スイッチを設け、該留守設定スイッチが留守に設定された場合にのみ同録画手段による録画を行うようになし、前記録画手段で録画された映像を、モニタテレビ付きインターホン親機のモニタテレビにて再生すると共に、前記検知信号の内容によって、人感センサの検知もしくはドアホン子器の呼出操作の別をモニタテレビに表示することを特徴とする請求項１記載のテレビインターホンシステム。
【請求項３】
前記検知信号を受けて、モニタテレビ付きインターホン親機にて報知音を鳴動させることを特徴とする請求項１または請求項２いずれか記載のテレビインターホンシステム。
【発明の詳細な説明】
【０００１】
【産業上の利用分野】
本発明は、テレビインターホンシステムに関するものである。
【０００２】
【従来の技術】
この種のテレビインターホンシステムは、玄関先を撮像するカメラ付きドアホン子器を設置する一方、室内には、カメラ付きドアホン子器の撮像した映像を映し出しドアホン子器との間で通話を行うためのモニタテレビ付きインターホン親機を設置し、これらを信号線で接続した構成となっており、来訪者等がドアホン子器に設けられた呼出釦を操作すると、室内に設置されたインターホン親機より呼出音が鳴動し、モニタテレビに来訪者の姿が映し出されて、これに対して住居者が応答すると、住居者は来訪者の顔を見ながら通話が出来るようになっている。
【０００３】
また、このようなインターホン親機には、モニタ機能が備わっており、インターホン親機に設けたモニタ釦を操作すると、ドアホン子器からの呼出がなくても、ドアホン子器の内蔵カメラを駆動してモニタテレビに玄関先の状況を映し出して監視できるようになっている。
【０００４】
しかしながら、このようなモニタ機能は、住居者がモニタ釦を操作する必要があるため、玄関先に不審者や泥棒等の非来訪者（来訪以外を目的としている者）がいても、住居内に侵入して来なければ、その存在を確認することは出来ず、住居内に侵入するまでの段階で検知することができなかった。また、住居人が留守のときには不審者や泥棒等の非来訪者が住居の周りに居たことがわからない。
【０００５】
【発明が解決しようとする課題】
そこで、このような不審者や泥棒等の非来訪者の侵入を防ぐために、監視カメラによる防犯システムを設置したりすることが考えられるが、このような防犯システムは、テレビインターホンシステムとは別のシステム構成になって一般住戸への設置には多大なコストがかかる上に、留守中はカメラの画像を確認することができない。録画システムが併せて設置されている防犯システムの場合でも、継続してずっと録画し続けてるため、録画データが膨大になり一般住戸の住居人がその膨大な録画データを見返すことにはかなりの無理がある。
【０００６】
本発明の上述の問題点に鑑みて為されたもので、テレビインターホンシステムの構成機器であるドアホン子器と、インターホン親機とを有効に利用することによって、簡易な防犯監視機能を備えた新規な構成のテレビインターホンシステムを提供することを目的とする。
【０００７】
【課題を解決するための手段】
上記目的を達成するために請求項１の発明では、玄関先を撮像するカメラ付きドアホン子器と、カメラ付きドアホン子器の撮像した映像を映し出しドアホン子器との間で通話を行うためのモニタテレビ付きインターホン親機と、を組み合わせて構成されたテレビインターホンシステムにおいて、カメラ付きドアホン子器の撮像した映像を録画する録画手段を設けると共に、上記カメラ付きドアホン子器には人感センサを設け、この人感センサが、ドアホン子器の前方を含む近傍箇所に、所定時間、人を検知したときには、前記録画手段にてカメラ付きドアホン子器の撮像した映像を録画するテレビインターホンシステムであり、前記録画手段は、前記人感センサの検知によりカメラ付きドアホン子器より出力される検知信号の発生に伴い録画を行うと共に、該検知信号は、カメラ付きドアホン子器に設けた呼出釦を操作したときに出力される呼出信号とは異なる信号であって、該検知信号である場合にのみ録画手段による録画を行うようになしたことを特徴とする。
【０００８】
請求項２の発明では、請求項１において、前記検知信号が呼出信号である場合でも、カメラ付きドアホン子器の撮像した映像を録画手段により録画するようになすと共に、留守設定スイッチを設け、該留守設定スイッチが留守に設定された場合にのみ同録画手段による録画を行うようになし、前記録画手段で録画された映像を、モニタテレビ付きインターホン親機のモニタテレビにて再生すると共に、前記検知信号の内容によって、人感センサの検知もしくはドアホン子器の呼出操作の別をモニタテレビに表示することを特徴とする。
【０００９】
請求項３の発明では、請求項１または請求項２いずれかにおいて、前記検知信号を受けて、モニタテレビ付きインターホン親機にて報知音を鳴動させることを特徴とする。
【００１５】
【発明の実施形態】
以下、本発明の実施の形態を図面とともに説明する。
【００１６】
図１は本発明に係るテレビインターホンシステムの構成の一例を示したブロック図、図１はテレビインターホンシステムの外観図、図７はテレビインターホンシステムにおける回線端の信号スペクトラムである。
【００１７】
図１に示すように、テレビインターホンシステムは、玄関先に設置され玄関先を撮像するカメラ付きドアホン子器Ｂと、室内に設置されカメラ付きドアホン子器Ｂの撮像した映像を映し出しドアホン子器Ｂとの間で通話を行うためのモニタテレビ付きインターホン親機Ａとを、２線式信号線Ｌによって接続した構成となっている。また、モニタテレビ付きインターホン親機Ａには、別の２線式伝送線Ｌ２を介して、カメラ付きドアホン子器Ｂの撮像した映像を録画する録画ユニットＣが接続されている。図７は２線式信号線Ｌ間の電圧信号スペクトラムを示している。
【００１８】
図１には、ハンズフリータイプのインターホン親機Ａを備えたシステムを示しており、このインターホン親機Ａでは、ドアホン子器Ｂの呼出釦ｂが操作されたときに、この呼出に対し、インターホン親機Ａより子器Ｂを制御して子器Ｂ側のカメラ６０の電源を起動し、子器Ｂ側のカメラ６０が撮像した映像をモニタテレビ２１に映し出し、通話釦ｂ１の操作をすれば、以降、マイクＭＩ１に向かって話しかけるだけで、子器Ｂとインターホン親機Ａ間の通話が出来るようになっている。なお、図中の１は通話中であることを点灯などによって表す通話ランプ、ｂ２は子器Ｂ側の撮像した映像、収音した音声をモニタするために操作するモニタ釦である。
【００１９】
本発明では、上記の機能に加えて、ドアホン子器Ｂに人感センサＳを設けており、ドアホン子器Ｂの前方を含む玄関先等の近傍箇所に、所定時間、人を検知したときには、ドアホン子器Ｂからインターホン親機Ａに対して所定時間、人を検知したことを通報する。通報を受けた親機Ａ側では、報知音を鳴動すると共に自動的にドアホン子器Ｂの撮像した映像をモニタテレビに映し出すと共に、ドアホン子器Ｂの撮像した映像および収音した音声を録画ユニットＣに伝送し、静止画または動画を録画及び録音する。
【００２０】
インターホン親機Ａには、図５に示すように、通話回路１０と、モニタ回路２０と、通話信号と映像信号とを多重化し送受する多重化回路３０と、２線式伝送線Ｌに接続する端子３５と、端子３５と内部各回路とを接続するための平衡／不平衡変換回路３４と、呼出信号処理部３８と、各部の処理制御を行う信号処理部（ＣＰＵ）３１と、ドアホン子器Ｂに駆動電源（カメラ電源と通話のための電源）を供給する直流電源供給回路３２と、ドアホン子器Ｂからの呼出信号を検知したときに、チャイム音や音声メッセージを発生させる音発生回路３３及びスピーカーＳＰと、通話釦ｂ１およびモニタ釦ｂ２と、ＬＥＤ等で構成された通話ランプ１及び警報ランプ１１と、外部警告設定スイッチｓｗと、通話信号と映像信号を送受信するインターフェイス部３６と、インターフェイス部３６と２線式伝送線Ｌ２とを接続する端子３７と、を設けている。ここに、警報ランプ１１は、フラッシュランプで構成してもよい。
【００２１】
また、通話回路１０には、通話のためのマイクＭＩ１と、マイクＭＩ１によって入力された音声で変調される親機側のキャリアｆ１を出力するための発振・変調回路１１と、ミュート回路１２と、ドアホン子器Ｂからの音声を出力するスピーカーＳＰ１と、復調回路１３と、スピーカアンプ１４と、ドアホン子器Ｂからの音声で変調された子器側のキャリアｆ２を選択し取り出すバンドパスフィルタ（ＢＰＦ）１５とを備えており、モニタ回路２０にはモニタテレビ２１と、表示部駆動回路２２とを備えている。
【００２２】
一方のドアホン子器Ｂには、図６に示すように、通常の通話あるいはモニタモードと外部警告設定モードとを判別する判別回路と、各部を制御する制御回路とを構成する判別・制御回路４０と、２線式信号線Ｌを介して供給されるインターホン親機Ａからの供給電源を各部に供給する電源回路４１と、音発生回路４２と、通話回路５０と、カメラ回路６０と、多重化回路７０と、２線式伝送線Ｌに接続する端子７２と、端子７２と内部各回路とを接続するための平衡／不平衡変換回路７１と、呼出釦ｂと、呼出釦ｂの操作を検出する呼出回路４３と、例えば超音波センサ等の人感センサＳを設けている。
【００２３】
通話回路５０には、インターホン親機Ａからの音声を出力するスピーカーＳＰ２と、復調回路５１と、スピーカアンプ５２と、インターホン親機Ａからの音声で変調された親機Ａ側のキャリアｆ１を選択し取り出すためのバンドパスフィルタ（ＢＰＦ）５３と、モニタ時には玄関先の音を集音し、通話時には来訪者の音声が入力されるマイクＭＩ２と、子器Ｂ側のキャリアｆ２を出力し、マイクＭＩ２より入力された音声で子器Ｂ側のキャリアｆ２を変調した変調信号を出力する発振・変調回路５４と、ミュート回路５５と、を備える。また、カメラ回路６０には、ＣＣＤカメラ６１と、映像信号処理回路６２とを備えている。なお、人感センサＳにて不審者を検知したことの通報時に、音発生回路４２からスピーカーＳＰ２を介して警告の音声メッセージを出力するようにしてもよい。
【００２４】
また、録画ユニットＣには、図４に示すように、２線式伝送線Ｌ２を接続する端子８０と、端子８０を介して通話信号と映像信号を送受信するインターフェイス部８１と、信号処理部８２と、通話信号と映像信号を蓄積（メモリ）しておくＲＡＭのメモリ８３と、録画された映像や音声の再生や留守設定などを行うための操作部８４と、現時刻をカウントし表示する液晶時計部８５と、中央処理装置（ＣＰＵ）８６と、を備えている。操作部８４は、図３に示すように、ＬＥＤ発光表示が可能な留守設定スイッチ８４ａと、次再生スイッチ８４ｂと、前再生スイッチ８４ｃと、停止スイッチ８４ｄと、を備えている。
【００２５】
このような２線式信号線Ｌを使用したインターホンシステムは、配線構造の簡素化が実現されており、図７に示すように、２線式信号線Ｌに、通話のために通話信号で変調（例えばＦＭ変調）されたキャリアｆ１、ｆ２、カメラ６０からの映像信号、スピーカーＳＰ、マイクＭＩ２、カメラ６０を駆動するための直流電圧を各周波数帯で重畳させた信号を伝送させ、呼出があった後、映像を見ながらの通話、モニタ監視ができるようになっている。
【００２６】
図７の（ａ）は通話中、（ｂ）はモニタ中での信号スペクトラムである。ここでは、カメラ６０からの映像信号をベースバンド信号で、通話信号（音声信号）をＦＭ変調して多重伝送しており、インターホン親機Ａからドアホン子器Ｂへの通話信号で第１のキャリアｆ１（例えば６．５ＭＨｚ）を変調し、ドアホン子器Ｂからインターホン親機Ａへの通話信号で第２のキャリアｆ２（例えば５．５ＭＨｚ）を変調し、両者のＦＭ搬送波周波数を異ならせて、ドアホン子器Ｂとインターホン親機Ａ間の双方向の同時通話を可能としている。これに対して、モニタ中は、インターホン親機Ａ側では、第１のキャリアｆ１の出力を停止し、ドアホン子器Ｂ側のスピーカーＳＰ２の動作を停止し、ポップノイズが発生しないようにしている。なお、近年では上記映像信号でキャリアをＦＭ変調して映像搬送波として映像信号を伝送し、２線式信号線Ｌが長距離化した場合の映像信号伝送劣化を極小にしているものも多い。
【００２７】
つまり、通話モード時は、インターホン親機Ａからドアホン子器Ｂへは、２線式信号線Ｌを通じて、通話のための電源とカメラ電源（直流電圧）が供給され、インターホン親機Ａとドアホン子器Ｂ間では、異なるキャリアｆ１，ｆ２で変調された通話信号が送受信され、また、ドアホン子器Ｂからインターホン親機Ａへはドアホン子器Ｂにて撮像した映像信号が送出される。
【００２８】
以下に、このテレビインターホンシステムの基本動作について説明する。待機時には、通話信号がなく、２線式信号線Ｌには、待機時の電圧レベル（６Ｖ）に親機Ａ側のキャリアｆ１及び子器Ｂ側のキャリアｆ２が重畳されており、ドアホン子器Ｂでは、通電表示灯（不図示）が点灯している。このとき、インターホン親機Ａからドアホン子器Ｂには駆動電源が供給されないため、スピーカＳＰ２はオフ状態になっている。
【００２９】
この状態で、ドアホン子器Ｂの呼出釦ｂが操作されると、待機時の電圧レベルが急激に低下するので、この状態をインターホン親機Ａの呼出信号処理部３８が電圧レベルを検出し、呼出信号処理部３８が検出するのに伴い信号処理部３１が音発生回路３３を作動させてチャイムを鳴動させた後、直流電源供給回路３２から多重化回路３０を通じて２線式信号線Ｌに対して電源を供給する。これによって、ドアホン子器Ｂのカメラ回路６０、通話回路５０が駆動し、カメラ６１で撮像した映像をインターホン親機Ａのモニタテレビ２１に映し出すとともに、互いのスピーカＳＰ１，ＳＰ２、マイクＭＩ１，ＭＩ２を使用した通話を可能にする。
【００３０】
すなわち、この通話モードの実行時には、インターホン親機Ａは、カメラ電源（１４．５Ｖ）を立ち上げるとともに、親機Ａ側のキャリアｆ１を送出しており、ドアホン子器Ｂの判別・制御回路４０では、電源回路４１を介したカメラ電源の立ち上げと、キャリアｆ１の検出によって、通話モードと判別し、スピーカアンプ５２に電源を供給してスピーカＳＰ２を駆動し、また、ミュート回路５５によるミュート動作を解除してマイクＭＩ２を駆動するとともに、カメラ６１によって撮像された映像信号をインターホン親機Ａ側に送出する。
【００３１】
インターホン親機Ａからの音声は、マイクＭＩ１から入力され、発振・変調回路１１によって親機Ａ側のキャリアｆ１を変調した信号として出力される。これを受けたドアホン子器Ｂでは、復調回路５１で復調し、スピーカＳＰ２を通じて出力する。一方、ドアホン子器Ｂからの音声は、マイクＭＩ２から入力され、発振・変調回路５４によって子器Ｂ側のキャリアｆ２を変調した信号として出力する。これを受けたインターホン親器Ａでは、復調回路１３で復調し、スピーカＳＰ１を通じて出力する。
【００３２】
次に、外部警告設定スイッチｓｗの操作によって、外部警告モードに設定されているときの動作について説明する。外部警告モードは、制御信号の送出によって、ドアホン子器Ｂに設定され、人感センサＳを作動させている。人感センサＳは、例えば超音波センサの場合は所定周期で超音波パルスを出力し、その反射波の有無や変化によって、人の存在を検知している。つまり、人がいないときの反射波の到達時間を記憶しておき、この到達時間と出力した超音波パルスに対して検知した反射波の到達時間との違いから人の存在を検知している。
【００３３】
ドアホン子器Ｂの人感センサＳが、ドアホン子器Ｂの前方を含む近傍箇所に、所定時間（例えば１分間）、人の存在を検知したときには、インターホン親機Ａに検知信号を送信し通報を行う。検知信号（呼出信号を含む）を検出したときは、呼出音を鳴動させ、モニタテレビ２１に玄関先他、外部の映像を映し出す。そして、通話釦ｂ１を操作すれば、外部の人に話しかけるなどの対処をとることができる。
【００３４】
また該検知信号をインターホン親機Ａが受信すると、該インターホン親機Ａは、インターフェイス部３７を介して、起動信号および、通話信号と映像信号を多重化して録画ユニットＣに送る。録画ユニットＣではインターフェイス部８１を介して起動信号を受信すると、ＣＰＵ８６は操作部８４の留守設定スイッチ８４ａの設定を参照し、留守設定スイッチ８４ａが「留守」設定されている場合には、通話信号と映像信号の多重信号を信号処理部８２にて復調し、通話信号と映像信号と現在の時刻情報をメモリ８３に書き込み、蓄積する。留守設定スイッチ８４ａが「留守」設定されていない場合には、通話信号と映像信号をメモリ８３に蓄積しない。なお、メモリ８３に映像情報が蓄積された場合には、留守設定スイッチ８４ａを点滅表示させて、録画情報があることを住居人に知らせる。また、メモリ８３には複数の通話信号／映像信号／時刻情報を時刻順に書き込み、蓄積するようになっており、操作部８４での操作により該当の通話信号／映像信号／時刻情報を読み出すことができる。
【００３５】
また、録画ユニットＣの操作部８４において、留守設定スイッチ８４ａが点滅中に、留守設定スイッチ８４ａを操作すると、メモリ８３に蓄積された該当の映像信号、通話信号および時刻情報をメモリ８３から読み出し、信号処理部８２において時刻情報を映像信号に混合して通話信号と共に変調し、インターフェイス部８１を介して２線式伝送線Ｌ２に出力する。インターホン親機Ａでは、録画ユニットＣからの通話信号および映像信号をインターフェイス部３６を介して受信すると、該映像信号をモニタテレビ２１に映し出して再生し、該通話信号をスピーカーＳＰ１より出力して再生する。また、次再生スイッチ８４ｂを操作すれば現在再生している映像の次の映像および通話音声を再生し、前再生スイッチ８４ｂを操作すれば現在再生している映像の前の映像および通話音声を再生する。停止スイッチ８４ｄを操作すれば、再生を終了する。
【００３６】
なお、図２は録画ユニットＣから出力された映像信号をインターホン親機Ａのモニタテレビ２１にて再生している一形態を示すものであるが、この映像には、再生中の映像信号がメモリ８２に蓄積された時刻の表示２１ａもスーピーインポーズ方式で同時に表示することができる。
【００３７】
また、ドアホン子器Ｂからインターホン親機Ａになされる通報時には、ドアホン子器Ｂの音発生回路４２からバックトーンを出力することができる。これによれば、ドアホン子器Ｂ側では、何等操作しないのに音が出力されるので、玄関先の不審者や泥棒等の非来訪者に対し威嚇ができる。特に住居人が留守中のときは、自身が検知されていることを非来訪者自身に知らせることにより、非来訪者に不安感を抱かせ、犯罪を犯させる可能性を格段に低減できる。
【００３８】
上記の動作を、図８に２線式信号線Ｌの回線電圧の変化で示す。この変化は通常の呼出時と同じであり、人感センサＳが、所定時間の間、人の存在を検知し続けると、待機時の電圧レベルを低下させることで通知を行い（図中、待機時（１）乃至不審者（非来訪者）検出時（２））、その後、カメラ回路６０や通話回路５０に電源を供給して、インターホン親機Ａ側でモニタ出来る動作に移行する（図中、不審者（非来訪者）検出時（２）乃至動作時（３））。なお、本発明では、呼出信号は、電圧レベルを待機時よりも低下させて出力する方式には限定されず、キャリアｆ１、ｆ２とは異なる周波数のトーン信号を変調して呼出信号として出力する方式を採用してもよい。
【００３９】
また、図９には、上記ドアホン子器Ｂ側の動作をフローチャートで示している。人感センサＳによって人の存在を検知する（ステップ１００）と、タイマ回路（不図示）をスタートさせ、タイマが所定時間カウントしてタイムアップしたかを判別（ステップ１０１）し、タイムアップしていない場合には人感センサＳが未だ人の存在を検知しているかを判別（ステップ１０２）し、人の存在を検知している場合にはタイマのカウントを継続し（ステップ１０１に戻る）、検知していない場合には処理を終了して次回の人の存在検知を待つ。そしてステップ１０１においてタイムアップした場合には、インターホン親機Ａ側に呼出信号を出力し（ステップ１０３）、ドアホン子器Ｂ側からはバックトーンを鳴動させる（ステップ１０４）
なお、例えば、ステップ１０２において更にタイマカウントを持たせ、例えば直前の人の検知から１０秒以内に再検知があった場合にでもステップ１０１に戻ってタイマのカウントを継続させるようにして、所定時間内に断続的にでも数回の人の存在を検知した場合でも、不審者や泥棒等の非来訪者が玄関先でうろうろ動き回ってるものとして、ステップ１０３以降の動作を行うようにしてもよく、このようなものも本発明の特許請求の範囲には含まれる。
【００４０】
また、ドアホン子器Ｂの人感センサＳが、ドアホン子器Ｂの前方を含む近傍箇所に、所定時間、人が存在したことを検知したときには、インターホン親機Ａに、通常の呼出操作時に送信される呼出信号とは異なる検知信号の形で通報する。
【００４１】
この場合の２線式信号線Ｌの回線電圧の変化の例を図１０に示す。人感センサＳが、所定時間の間、人の存在を検知し続けると、待機時の電圧レベルを、呼出釦ｂ押下時（４）よりも更に低い電圧レベルにまで低下させることで通知を行い（図中、待機時（１）乃至不審者（非来訪者）検出時（２））、その後、カメラ回路６０や通話回路５０などに電源を供給して、インターホン親機Ａ側でモニタ出来る動作に移行する（図中、不審者（非来訪者）検出時（２）乃至動作時（３））。なお、検知信号の構成はこのような方式には限定されず、特定のデータ信号を出力する方式を採用するようにしてもよい。
【００４２】
このようにすれば、インターホン親機Ａでは、検知信号を検出したときに、呼出音とは異なる警報音または警報メッセージを出力して、玄関先他、外部に非来訪者がいることを報知することができる。すなわち、インターホン親機Ａで鳴動する音が呼出音か警報音または警報メッセージかにより、玄関先にいるのが来訪者か非来訪者かを区別することができる。また、このとき、ドアホン子器Ｂにおいて、通常とは異なるバックトーン（例えば警告メッセージや警報音等）を出力すれば、非来訪者に対する威嚇効果が高まる。逆に、外部の人に気づかせないため、バックトーンを出力しないようにしてもよい。このようなバックトーンの出力有無の設定は、インターホン親機Ａの外部警告設定スイッチｓｗの設定に含めることができる。
【００４３】
なお、検知信号を検出したときに、呼出信号とは異なる検知信号を出力するようにすれば、検知信号が、呼出釦ｂ操作（来客）によるものなのか、人感センサーＳの検知によるものなのかが区別できるので、図２において再生中の映像に「来客」の映像なのか「センサー検知」の映像なのかを区別してスーピーインポーズ方式で同時に検知内容表示２１ｂとして表示することができる。呼出信号とは異なる検知信号と同時に、通常の呼出信号をも送って、インターホン親機Ａにて呼出音を鳴動するようにしてもよい。
【００４４】
なお、インターホン親機Ａには、ドアホン子器Ｂからの検知信号（呼出信号とは異なるもの）に応じて動作する警報ランプ１１が設けられているので、これを点灯あるいは点滅させることによって、外部に非来訪者が居ることを、視覚的に知らせることが出来る。また、この警報ランプ１１をフラッシュランプで構成するようにすれば、住居人に対して更に注意が喚起でき、騒音のある場所や、耳の不自由な住居人にも非来訪者の存在がわかりやすくなる。
【００４５】
更に、インターホン親機Ａでは、ドアホン子器Ｂからの検知信号（呼出信号を含む）を受けたときに、音発生回路３３から注意を喚起させる、例えば、「玄関口に訪問者がいます」といった音声メッセージを出力させることもできる。またインターホン親機Ａでは、呼出信号とは異なる検知信号を受けた場合は、「玄関口に不審者がいます」といった音声メッセージを出力させることもできる。
【００４６】
また、ドアホン子器Ｂの前方の人を検知する人感センサＳは、超音波センサには限定されず、例えば赤外線センサなどであってもよく、赤外線センサが、所定の範囲内に人が侵入したままであり、移動がないことや玄関先でうろうろ動いていることを検知すれば、インターホン親機Ａに通報を行うようにしてもよい。
【００４７】
以上には、２線式インターホンシステムについて説明したが、インターホン親機Ａとドアホン子器Ｂとを、制御線、通話線、映像線、電源線などの複数で接続するシステムであってもよい。この場合でも、ドアホン子器Ｂの人感センサＳが所定時間の間、人の存在を検知し続ければ、制御線を通じ、電圧を低下させたり、特定の制御信号等で、検知信号をインターホン親機Ａに送出することによって不審者など非来訪者の存在を通報する。
【００４８】
なお、本発明の録画手段は図１１のような、ハンドセットＨを有したタイプのインターホン親機Ａである、インターホン機能付き住宅情報盤を備えたシステムに接続するようにしてもよい。住宅情報盤では、火災センサによる室内の火災監視などを行うとともに、ドアホン子器Ｂの呼出釦ｂが操作されると、インターホン親機Ａより子器Ｂを制御してカメラ６０の電源を起動し、モニタテレビユニット２０に子器Ｂ側のカメラ６０が撮像した映像を映すとともに、スピーカＳＰからチャイム音を鳴動させ、この呼出に対し、ハンドセットＨを持ち上げたときには、子器Ｂとインターホン親機Ａ間の通話を可能にしている。
【００４９】
また、本発明の録画手段は上記実施形態に限らず、例えば録画ユニットＣは映像信号のみを蓄積（メモリ）するようにして、音声信号を蓄積しないようにしてもよい。また、録画ユニットＣ自体にモニタテレビを装備し、メモリ８３に蓄積した映像信号および通話信号を、録画ユニットＣにて再生するようにしてもよい。また、前記録画ユニットＣの機能をインターホン親機Ａに録画手段として内蔵させてもよい。
【００５０】
【発明の効果】
請求項１の本発明によれば、人感センサの検知によりドアホン子器の撮像する画像を録画する録画手段を設けたので、ドアホン子器の設置場所の近辺に非来訪者が居たことを住居人が知ることができ、テレビインターホンシステムの構成機器であるドアホン子器と、インターホン親機とを有効に利用することによって、簡易な防犯監視機能を備えた新規な構成のテレビインターホンシステムを提供することが可能となり、人感センサの検知による検知信号か、ドアホン子器での呼出操作による検知信号なのかをインターホン親機側で区別することができ、ドアホン子器の近辺に居る人に対する適した対応方法をとることができる。
【００５１】
更に、請求項２の発明によれば、非来訪者のみならず、来訪者の映像も録画することができ、留守設定すれば録画するようになっているので、在宅中での不要な録画を削減することができ、モニタテレビ付インターホン親機のモニタテレビを有効に利用して録画手段の録画映像を再生することが可能となり、モニタテレビ上に映し出された映像が、人感センサの検知による録画映像なのか、ドアホン子器での呼出操作による録画映像なのかを区別することができ、来訪者と非来訪者との区別ができる。
【００５２】
更に、請求項３の発明によれば、検知信号を受けて報知音を発生するので、来訪者がある場合は勿論、非来訪者を検知した場合も報知音により知らせることができるので、住居人が在宅していれば適切な対処ができる。
【図面の簡単な説明】
【図１】本発明に係るテレビインターホンシステムの外観図である。
【図２】同上のモニタテレビ２１上の画像の一例を示す図である。
【図３】同上の録画ユニットの外観図である。
【図４】同上の録画ユニットの回路ブロック図である。
【図５】同上のインターホン親機の回路ブロック図である。
【図６】同上のドアホン子器の回路ブロック図である。
【図７】同上における回路網の信号スペクトラムである。
【図８】２線式信号線の回線電圧の変化の例を示す図である。
【図９】ドアホン子器の動作を示すフローチャートである。
【図１０】２線式信号線の回線電圧の変化の別の例を示す図である。
【図１１】本発明の別の実施形態を示す外観図である。
【符号の説明】
Ａ  インターホン親機
２１  モニタテレビ
Ｂ  ドアホン子器
ｂ  呼出釦
Ｓ  人感センサ
Ｃ  録画ユニット（請求範囲の「録画手段」の一例）
８４ａ  留守設定スイッチ
【図１】
0003555425.tif 000002
【図２】
0003555425.tif 000003
【図３】
0003555425.tif 000004
【図４】
0003555425.tif 000005
【図５】
0003555425.tif 000006
【図６】
0003555425.tif 000007
【図７】
0003555425.tif 000008
【図８】
0003555425.tif 000009
【図９】
0003555425.tif 000010
【図１０】
0003555425.tif 000011
【図１１】
0003555425.tif 000012